(57)【要約】【課題】小型のレンズ鏡筒を提供する。【解決手段】レンズ鏡筒（２）は、第１レンズユニット（１０２）を保持する第１鏡筒（１１２）と、第２レンズユニット（１０３）を保持する第２鏡筒（１１３）と、第３鏡筒（１１５）と、第１接着部（１１７）および第２接着部（１１８）を用いて、第１鏡筒と第２鏡筒と第３鏡筒とを互いに固定する固定部材（１１６）とを有する。【選択図】図１
2019039998.tif 000002
【特許請求の範囲】
【請求項１】
第１レンズユニット（１０２）を保持する第１鏡筒と、
第２レンズユニット（１０３）を保持する第２鏡筒と、
第３鏡筒と、
第１接着部および第２接着部を用いて、前記第１鏡筒と前記第２鏡筒と前記第３鏡筒とを互いに固定する固定部材と、
を有することを特徴とするレンズ鏡筒。
【請求項２】
前記固定部材は、
前記第１鏡筒に設けられ、前記第２鏡筒および前記第３鏡筒のそれぞれの孔部を挿通し、
前記第１接着部を用いて前記第３鏡筒に接着され、前記第２接着部を用いて前記第２鏡筒に接着されている
ことを特徴とする請求項１に記載のレンズ鏡筒。
【請求項３】
前記固定部材は、前記第１鏡筒に取り付けられている
ことを特徴とする請求項２に記載のレンズ鏡筒。
【請求項４】
前記固定部材は、前記第１鏡筒と一体的に形成されている
ことを特徴とする請求項２に記載のレンズ鏡筒。
【請求項５】
前記固定部材は、
前記第３鏡筒に設けられ、前記第１鏡筒および前記第２鏡筒のそれぞれの孔部を挿通し、
前記第１接着部を用いて前記第１鏡筒に接着され、前記第２接着部を用いて前記第２鏡筒に接着されている
ことを特徴とする請求項１に記載のレンズ鏡筒。
【請求項６】
前記孔部の少なくとも一つは、前記第１レンズユニットと前記第２レンズユニットとを含む光学系の光軸から離れる方向に広がるテーパー形状を有する
ことを特徴とする請求項２乃至５のいずれか１項に記載のレンズ鏡筒。
【請求項７】
前記第１接着部と前記第２接着部は、前記固定部材の突出方向において重なるように設けられている
ことを特徴とする請求項１乃至６のいずれか１項に記載のレンズ鏡筒。
【請求項８】
前記固定部材の前記突出方向は、前記第１レンズユニットと前記第２レンズユニットとを含む光学系の光軸と直交する径方向である
ことを特徴とする請求項７に記載のレンズ鏡筒。
【請求項９】
前記固定部材の前記突出方向は、前記第１レンズユニットと前記第２レンズユニットとを含む光学系の光軸に沿った方向である
ことを特徴とする請求項７に記載のレンズ鏡筒。
【請求項１０】
前記第１接着部および前記第２接着部はそれぞれ、紫外線硬化型接着剤を含む
ことを特徴とする請求項１乃至９のいずれか１項に記載のレンズ鏡筒。
【請求項１１】
前記第１鏡筒は、前記第３鏡筒に対する傾きの調整が可能であり、
前記第２鏡筒は、前記第１レンズユニットと前記第２レンズユニットとを含む光学系の光軸に沿った方向における平行偏芯が可能である
ことを特徴とする請求項１乃至１０のいずれか１項に記載のレンズ鏡筒。
【請求項１２】
前記第１鏡筒の位置を調整する第１調整部材と、
前記第２鏡筒の位置を調整する第２調整部材と、を更に有する
ことを特徴とする請求項１１に記載のレンズ鏡筒。
【請求項１３】
請求項１乃至１２のいずれか１項に記載のレンズ鏡筒と、
前記レンズ鏡筒を介して形成された光学像を光電変換する撮像素子と、を有する
ことを特徴とする撮像装置。
【請求項１４】
第１レンズユニットを保持する第１鏡筒と、第２レンズユニットを保持する第２鏡筒と、第３鏡筒とを有するレンズ鏡筒の製造方法であって、
前記第1鏡筒に設けられた固定部材と前記第３鏡筒との間に第１接着部を塗布して硬化させるステップと、
前記第１接着部の硬化後に、前記固定部材と前記第２鏡筒との間に第２接着部を塗布して硬化させるステップと、を有する
ことを特徴とするレンズ鏡筒の製造方法。
【発明の詳細な説明】
【技術分野】
【０００１】
本発明は、光学系を保持する複数のレンズ保持枠を接着固定するレンズ鏡筒に関する。
【背景技術】
【０００２】
光学系を構成する光学要素または光学要素を保持するレンズ保持枠と固定部とを接着固定して構成されたレンズ鏡筒が知られている。特許文献１には、レンズ保持枠に複数の光学要素を互い違いの位相（異なる位相）で接着固定する方法が開示されている。
【先行技術文献】
【特許文献】
【０００３】
【特許文献１】特開２００６−３３７９号公報
【発明の概要】
【発明が解決しようとする課題】
【０００４】
特許文献１に開示された構成により、複数の光学要素をレンズ保持枠に固定強度を確保しながら接着固定することが可能である。しかしながら、複数のレンズ保持枠を固定部に接着固定する場合、特許文献１に開示された方法では、互いに異なる位相で接着固定することになるため、レンズ鏡筒の小型化を図ることが難しい。
【０００５】
そこで本発明は、従来よりも小型のレンズ鏡筒、撮像装置、および、レンズ鏡筒の製造方法を提供することを目的とする。
【課題を解決するための手段】
【０００６】
本発明の一側面としてのレンズ鏡筒は、第１レンズユニットを保持する第１鏡筒と、第２レンズユニットを保持する第２鏡筒と、第３鏡筒と、第１接着部および第２接着部を用いて、前記第１鏡筒と前記第２鏡筒と前記第３鏡筒とを互いに固定する固定部材とを有する。
【０００７】
本発明の他の側面としての撮像装置は、前記レンズ鏡筒と、前記レンズ鏡筒を介して形成された光学像を光電変換する撮像素子とを有する。
【０００８】
本発明の他の側面としてのレンズ鏡筒の製造方法は、第１レンズユニットを保持する第１鏡筒と、第２レンズユニットを保持する第２鏡筒と、第３鏡筒とを有するレンズ鏡筒の製造方法であって、前記第1鏡筒に設けられた固定部材と前記第３鏡筒との間に第１接着部を塗布して硬化させるステップと、前記第１接着部の硬化後に、前記固定部材と前記第２鏡筒との間に第２接着部を塗布して硬化させるステップとを有する。
【０００９】
本発明の他の目的及び特徴は、以下の実施形態において説明される。
【発明の効果】
【００１０】
本発明によれば、従来よりも小型のレンズ鏡筒、撮像装置、および、レンズ鏡筒の製造方法を提供することができる。
【図面の簡単な説明】
【００１１】
【図１】第１実施形態におけるレンズ鏡筒の拡大断面図である。
【図２】第１実施形態における撮像装置の断面図である。
【図３】第１実施形態におけるレンズ鏡筒の光軸直交面で切断した断面図である。
【図４】第１実施形態におけるレンズ鏡筒の部分斜視図である。
【図５】第２実施形態における撮像装置の断面図である。
【図６】第２実施形態におけるレンズ鏡筒の拡大断面図である。
【発明を実施するための形態】
【００１２】
以下、本発明の実施形態について、図面を参照しながら詳細に説明する。
【００１３】
（第１実施形態）
まず、図２を参照して、本発明の第１実施形態における撮像装置について説明する。図２は、撮像装置（光学機器）１００の断面図である。撮像装置１００は、レンズ鏡筒（交換レンズ）２と、レンズ鏡筒２が着脱可能なカメラ本体（一眼レフデジタルカメラ本体）１とを備えて構成される。図１において、レンズ光軸（以下、単に光軸という）ＯＡに沿った光軸方向をＺ方向とし、光軸ＯＡに対して直交する方向であって撮像面に平行な２方向のうち横方向をＸ方向、縦方向をＹ方向とする。なお本実施形態は、レンズ鏡筒とカメラ本体とが一体的に構成された撮像装置にも適用可能である。
【００１４】
まず、カメラ本体１の構成について説明する。メインミラー３は、図２に示されるように、レンズ鏡筒２からの光束の光路上に配置された状態で、光束の一部を反射してファインダ光学系７、８に導き、残りの光束を透過させる。メインミラー３の背後（撮像面側）に配置されたサブミラー４は、メインミラー３を透過した光束を反射して焦点検出ユニット５に導く。メインミラー３およびサブミラー４は、不図示の駆動機構により光路上から退避することができる。
【００１５】
焦点検出ユニット５は、位相差検出方式によりレンズ鏡筒２の焦点状態の検出（焦点検出）を行う。撮像素子６は、ＣＣＤセンサまたはＣＭＯＳセンサを備えて構成される。撮像素子６の受光面（撮像面）上にはレンズ鏡筒２からの光束による物体像（光学像）が形成される。撮像素子６は、レンズ鏡筒２を介して形成された物体像を光電変換して撮像信号を出力する。デイスプレイパネル９は、撮像信号から不図示の信号処理部により生成された画像や様々な撮像に関する情報を表示する。
【００１６】
なお本実施形態において、カメラ本体１は、メインミラー３、サブミラー４、および、焦点検出ユニット５を有する一眼レフカメラであるが、メインミラー３、サブミラー４、および、焦点検出ユニット５を持たない、いわゆるミラーレスカメラであってもよい。また、焦点検出ユニット５を設ける代わりに、撮像素子６からの撮像信号を用いて撮像面位相差検出方式での焦点検出を行ってもよい。また、撮像素子６から得られる撮像信号を用いてコントラスト検出方式による焦点検出を行ってもよい。
【００１７】
続いて、レンズ鏡筒２の構成について説明する。レンズ鏡筒２は、撮像光学系（光学系）を有する。撮像光学系は、物体側から撮像面側に順に、レンズユニット１０１、レンズユニット（第１レンズユニット）１０２、絞りユニット１０６、レンズユニット（第２レンズユニット）１０３、および、レンズユニット１０４を有する。レンズ鏡筒２において、後述するように、第１カム筒２１との光軸ＯＡ回りでの相対回転により、直進筒２２および第２カム筒２３が連動し、レンズユニット１０１〜１０４が光軸方向に移動する。
【００１８】
レンズユニット１０１は第１レンズ保持枠１１１により保持され、レンズユニット１０２は第２レンズ保持枠（第１鏡筒）１１２により保持されている。レンズユニット１０３は第３レンズ保持枠（第２鏡筒）１１３により保持され、レンズユニット１０４は第４レンズ保持枠１１４により保持されている。電気部品としての絞りユニット１０６は、カメラ本体１に入射する光量を調節する。絞りユニット１０６と制御基板１０９とは、フレキシブルプリント基板（不図示）により電気的に接続される。絞りユニット１０６に設けられた駆動部（不図示）に制御基板１０９からの電気信号が入力されることにより、絞りユニット１０６の開口径を変更し、カメラ本体１に入射する光量を変更させる。
【００１９】
第２レンズ保持枠１１２および第３レンズ保持枠１１３は、調整部材（不図示）を介して調整可能に保持鏡筒（第３鏡筒）１１５に固定される。挿通部材１１６は、第２レンズ保持枠１１２に固定される。後述のように、挿通部材１１６は、第１接着部１１７および第２接着部１１８を用いて、第２レンズ保持枠１１２と第３レンズ保持枠１１３と保持鏡筒１１５とを互いに固定する固定部材として機能する。保持鏡筒１１５は、締結部材（不図示）により第１レンズ保持枠１１１に固定される。第１接着部１１７は、第２レンズ保持枠１１２に取り付けられた挿通部材１１６と保持鏡筒１１５とを接着固定する。第２接着部１１８は、第２接着部１１８は、挿通部材１１６と第３レンズ保持枠１１３とを接着固定する。絞りユニット１０６は、締結部材（不図示）により、保持鏡筒１１５に固定される。第４レンズ保持枠１１４は、締結部材（不図示）により、直進筒２２に固定される。
【００２０】
第２カム筒２３に設けられた不図示のバヨネット爪部が直進筒２２のバヨネット溝部２２ａに係合することにより、第２カム筒２３は直進筒２２に対して定位置回転可能に保持される。案内筒２０に取り付けられた不図示のスラスト規制部材が第１カム筒２１に設けられた周溝部２１ａに係合することにより、第１カム筒２１は案内筒２０に対して定位置回転可能に保持される。直進筒２２に取り付けられた第１カムフォロワ４１は、案内筒２０に設けられた直進溝２０ａと第１カム筒２１に設けられた第１カム溝２１ｂに対して係合している。第２カム筒２３に取り付けられた第２カムフォロワ４２は、案内筒２０のカム溝２０ｂに係合している。
【００２１】
続いて、案内筒２０、第１カム筒２１、直進筒２２、および、第２カム筒２３の連動について説明する。第１カム筒２１が回転すると、第１直進溝２０ａと第１カム溝２１ｂの交差する位置が変化することで、直進筒２２は第１カム溝２１ｂの軌跡に従い光軸方向に直進移動する。直進筒２２が直進移動すると、直進筒２２に対して定位置回転可能に保持された第２カム筒２３も同量直進移動する。この際、第２カム筒２３に取り付けられた第２カムフォロワ４２は案内筒２０のカム溝２０ｂに係合しているため、第２カム筒２３は直進筒２２と同量直進移動しながら、カム溝２０ｂの軌跡に従った分だけ回転する。すなわち、第１カム筒２１の回転に連動して、第２カム筒２３を回転させることができる。２部品の回転量は第１カム溝２１ｂとカム溝２０ｂの軌跡の取り方によって、回転量に差を持たせたり、回転速度に差を持たせたりすることが可能となる。
【００２２】
次に、各レンズ保持枠の動きについて説明する。第１レンズ保持枠１１１に設けられた第３カムフォロワ４３は、直進筒２２に設けられた直進溝２２ｂと第２カム筒２３に設けられたカム溝２３ａに対して係合している。前述のように、第４レンズ保持枠１１４は、直進筒２２に取りけられている。また前述のように、第１カム筒２１が回転すると直進筒２２が直進移動するため、第４レンズ保持枠１１４は、直進筒２２と同量だけ光軸方向に直進移動する。また、第１カム筒２１が回転すると第２カム筒２３が回転するため、第１レンズ保持枠１１１は、直進筒２２が光軸方向に繰り出した量に、直進溝２２ｂとカム溝２３の交差する位置が変化する量を加えた分だけ光軸方向に直進移動する。第２レンズ保持枠１１２および第３レンズ保持枠１１３は、保持鏡筒１１５を介して第１レンズ保持枠１１１に固定されているため、第１〜第３レンズ保持枠１１１〜１１３は同量だけ光軸方向に移動する。
【００２３】
また、先端にフィルタ等のアクセサリが取り付け可能なネジ部２５ａを有するフィルタ枠２５には、第４カムフォロワ４４が取り付けられており、案内筒２０に設けられた第２直進溝２０ｃと第１カム筒２１に設けられた第２カム溝２１ｃに対して係合している。第１カム筒２１が回転すると、第２直進溝２０ｃと第２カム溝２１ｃの交差する位置が変化することで、直進筒２２は第２カム溝２１ｃの軌跡に従い光軸方向に直進移動する。化粧環２６はフィルタ枠２５のネジ部２５ａに対してねじ込み固定される外観部品である。
【００２４】
固定筒２８は、締結部材（不図示）により案内筒２０に固定され、フォーカス操作環２７を定位置回転可能に保持する。フォーカス操作環２７は、マニュアルで焦点調節（マニュアルフォーカス）を行うユーザによって回転操作され、第１カム筒２１に回転操作力を伝達する。フォーカス操作環２７を介して第１カム筒２１が回転されると、前述した連動により、レンズユニット１０１〜１０３および絞りユニット１０６は、光軸方向に一体的に移動する。一方、レンズユニット１０４は、レンズユニット１０１〜１０３とは独立して光軸方向に移動する。またフィルタ枠２５は、独立して光軸方向に移動する。フォーカス操作環２７、案内筒２０、第１カム筒２１、直進筒２２、および、第２カム筒２３等により、マニュアルフォーカス機構（フォーカス調節手段）が構成される。なお、レンズユニット１０１〜１０４をモータ等の電動アクチュエータによって駆動するようにしてもよい。また、フォーカス操作環２７の回転量および回転方向を電気的に検出し、その電気信号に基づいて第１カム筒２１を駆動するアクチュエータを制御するようにしてもよい。
【００２５】
次に、レンズ鏡筒２におけるティルト／シフト機構について説明する。全体回転部３０は、カメラ１と接続されるマウント２９に固定された固定部材３１に光軸ＯＡ回りで回転可能に連結されており、レンズ鏡筒２のうち全体回転部３０よりも物体側の部分（回転可能部分）を光軸ＯＡ回りで回転させる。回転可能部分の回転量（角度）は、角度センサ３２によって検出される。
【００２６】
シフト部３３は、全体回転部３０に対して光軸ＯＡに対して直交する方向（シフト方向）にシフト可能に連結されており、レンズ鏡筒２のうちシフト部３３よりも物体側の部分（シフト可能部分）をシフト方向に平行移動させる。シフト部３３は、シフト操作ノブ（不図示）の回転操作をシフト方向の力に変換してシフト可能部分をシフトさせる機構を備えている。シフト可能部分のシフト量は、シフトセンサ３４により、シフト方向（上下方向）とともに検出される。
【００２７】
ＴＳ回転部３６は、シフト部３３とティルト部３５を相対的に回転させる（ＴＳ回転）。あおり手段としてのティルト部３５は、レンズ鏡筒２のうちティルト部３５よりも物体側の部分（ティルト可能部分）を、光軸ＯＡに対して直交する軸回りでシフト部３３に対して（すなわちカメラ本体１に対して）傾斜させる。具体的には、ＴＳ回転部３６に設けられた凹面とティルト部３５に設けられた凸面とが、同一の中心軸（ティルト中心）と同一の半径を有す半円筒面として形成されて互いに当接している。ティルト部３５に設けられた凸面がＴＳ回転部３６に設けられた凹面に対して摺動することにより、ティルト可能部分がティルト方向に回転（ティルト）する。ティルト部３５は、ティルト操作ノブ３７の回転操作をティルト方向の力に変換することで、ティルト可能部分をティルトさせる機構を有する。ティルト可能部分のティルト量は、ティルトセンサ３８により、ティルト方向（上下方向）とともに検出される。
【００２８】
全体回転部３０、シフト部３３、ティルト部３５、および、ＴＳ回転部３６により、あらゆる方向へのシフトとティルトを組み合わせて行わせることができる。固定筒２８は、ティルト部３５に固定されている。このように構成されたレンズ鏡筒２が装着されたカメラ本体１において、不図示のレリーズボタンが操作されると、オートフォーカス、測光（露出決定）の後、撮像素子６の露光および撮影画像の生成と記録が行われる。
【００２９】
次に、図１乃至図４を参照して、本実施形態における接着固定の方法について説明する。図１は、本実施形態のレンズ鏡筒の拡大断面図である。図３は、挿通部材１１６の位置において光軸ＯＡに直交する面で切断した断面図である。図４は、レンズ鏡筒２の部分斜視図である。
【００３０】
まず、第２レンズ保持枠１１２の保持方法について説明する。第２レンズ保持枠１１２の外径部１１２ａと保持鏡筒１１５の内径部１１５ａは嵌合している。第１調整部材１１９は、第２レンズ保持枠１１２の取り付け部１１２ｂに取り付けられ、保持鏡筒１１５の係合部１１５ｂと第１調整部材１１９とが係合することにより、保持鏡筒１１５に対する第２レンズ保持枠１１２の位置が決定される。保持鏡筒１１５の係合部１１５ｂは、周方向に広がった長穴形状であり、幅狭部と第１調整部材１１９とが係合する。第１調整部材１１９は、その外径部が偏芯したカムフォロワである。第１調整部材１１９を回転させると、保持鏡筒１１５に対して取り付け部１１２ｂの光軸方向の位置が変化する。図３に示されるように、第１調整部材１１９は３位相（周方向に１２０度ごとに）に配置されている。このため、各々の光軸方向の位置を変化させることにより、傾き（倒し）調整が可能となる。
【００３１】
続いて、第３レンズ保持枠１１３の保持方法について説明する。第２調整部材１２０は、保持鏡筒１１５の取り付け部１１５ｃに取り付けられ、第３レンズ保持枠１１３の係合部１１３ａと第２調整部材１２０とが係合する。図には示されていないが、第３レンズ保持枠１１３の係合部１１３ａは光軸方向に広がった長穴形状であり、幅狭部と第２調整部材１２０とが係合する。第３レンズ保持枠１１３には、更に周方向に広がった長穴形状の係合部１１３ｂが設けられており、保持鏡筒１１５に取り付けられたカムフォロワ１２１とその幅狭部とが係合する。第２調整部材１２０は、その外径部が偏芯したカムフォロワである。第２調整部材１２０を回転させると、保持鏡筒１１５に対する取り付け部１１３ａの周方向の位置が変化する。図３に示されるように、第２調整部材１２０は３位相に配置されているため、各々の光軸方向の位置を変化させることにより、平行偏芯調整が可能となる。
本実施形態において、第２レンズ保持枠１１２は倒し調整、第３レンズ保持枠は平行偏芯調整を行うと説明したが、それらに限定されるものではなく、各レンズ保持枠は倒し調整、平行偏芯調整、その両方、または、調整全般を行わなくてもよい。
【００３２】
続いて、挿通部材１１６について説明する。挿通部材１１６は、第２レンズ保持枠１１２の取り付け部１１２ｃに径方向から取り付けられ、挿通部材１１６は保持鏡筒１１５および第３レンズ保持枠１１３を挿通する。本実施形態における挿通部材１１６は、軸部を有する締結部材（固定部材）である。挿通部材１１６を第２レンズ保持枠１１２と一体の部品としていないのは、組立時に干渉するからである。これは、第２レンズ保持枠１１２および第３レンズ保持枠１１３は、保持鏡筒１１５に対して光軸方向から組み込まれるが、その際に挿通部材１１６が存在すると、各レンズ保持枠を組み込むことができないためである。従って、第２レンズ保持枠１１２および第３レンズ保持枠１１３を保持鏡筒１１５に対して光軸方向から組み込んだ後に挿通部材１１６が外径方向から取り付けられる。
【００３３】
続いて、光学調整から接着固定の流れについて説明する。光学調整は、フォーカス操作環２７がない状態で、固定筒２５を保持した状態で行われる。光学調整において、固定筒２５の穴部から工具を挿入し、第１調整部材１１９および第２調整部材１２０をそれぞれ回転操作することにより、第２レンズ保持枠１１２および第３レンズ保持枠１１３の倒れ位置および偏芯位置を変更する。光学調整後、固定筒２５、第１カム筒２１、案内筒２０、直進筒２２、および、第２カム筒２３に設けられた挿入穴を通して接着が行われる。以下、光学調整について、具体的に説明する。
【００３４】
まず、第２レンズ保持枠１１２に取り付けられた挿通部材１１６と保持鏡筒１１５とを接着固定するため、前述の挿入穴から接着部（孔部）１１５ｄに第１接着部１１７を塗布する。本実施形態において、第１接着部１１７は紫外線硬化型接着剤を含み、第１接着部１１７の塗布後、同じ挿入穴から紫外線が照射されることにより、第１接着部１１７が硬化される。本実施形態において、第１接着部１１７は、３つの位相（３つの異なる位置）で塗布されるため、１つの位相について第１接着部１１７を硬化させた後、次の位相、最後の位相の順に、それぞれの第１接着部１１７の硬化を進める。または、３つの位相の第１接着部１１７の塗布および硬化を同時に行ってもよい。これにより、挿通部材１１６を介して保持鏡筒１１５と第２レンズ保持枠１１２とが強固に固定（接着）される。
【００３５】
続いて、前述の挿入穴から第２接着部１１８を塗布する。本実施形態において、第２接着部１１８は紫外線硬化型接着剤を含み、第２接着部１１８の塗布後、同じ挿入穴から紫外線が照射されることにより、第２接着部１１８が硬化される。本実施形態において、第２接着部１１８は、３つの位相（３つの異なる位置）で塗布されるため、１つの位相について第２接着部１１８を硬化させた後、次の位相、最後の位相の順に、それぞれの第２接着部１１８の硬化を進める。または、３つの位相の第２接着部１１８の塗布および硬化を同時に行ってもよい。これにより、挿通部材１１６を介して第２レンズ保持枠１１２と第３レンズ保持枠１１３とが強固に固定（接着）される。第１接着部１１７により保持鏡筒１１５と第２レンズ保持枠１１２とが既に固定されているため、第１接着部１１７および第２接着部１１８により、保持鏡筒１１５と第３レンズ保持枠１１３とが強固に固定（接着）されることとなる。
【００３６】
このように、第２レンズ保持枠１１２に取り付けられ挿通部材１１６が、保持鏡筒１１５と第３レンズ保持枠１１３とを挿通し、それぞれの挿通箇所において、第１接着部１１７および第２接着部１１８で接着固定を行う。これにより、３つの部材（第２レンズ保持枠１１２、第３レンズ保持枠１１３、および、保持鏡筒１１５）の固定（接着）を挿通部材１１６の一箇所のみで行うことが可能となる。すなわち、レンズ鏡筒の小型化を図ることができる。
【００３７】
本実施形態において、第１接着部１１７と第２接着部１１８とが積層するように接着しているため、径方向に少ないスペースで接着固定することが可能である。また、第１接着部１１７を硬化させた後に、第２接着部１１８を塗布して紫外線照射により硬化する順にすることにより、接着部が意図しない箇所に流れ込むことを防止することができる。すなわち、第２レンズ保持枠１１２および第３レンズ保持枠１１３は、光学調整時に傾き、偏芯調整されるが、接着するにはクリアランスを設ける必要があり、そのクリアランスに接着部（接着剤）が流れ込む可能性がある。これを防ぐには、必要な箇所に最低限の時間で硬化することが必要であるが、第１接着部１１７および第２接着部１１８を同時に塗布すると、本来必要のない図３における第１接着部１１７および第２接着部１１８の間にも接着部が必要となる。このような手法を採用すると、塗布時間がかかるとともに、さらに接着部が流れ込む可能性がある。本実施形態では、第１接着部１１７の硬化後に、第２接着部１１８を塗布して紫外線照射により硬化を行う。これにより、接着部が意図しない箇所に流れ込むことを防止することができる。
【００３８】
本実施形態において、３つの位相（３箇所）に挿通部材１１６を設けてそれぞれの箇所を接着固定することについて説明したが、これに限定されるものではない。挿通部材１１６を設けて接着固定する位置は、１箇所や２箇所であってもよく、また、４箇所以上であってもよい。いずれの場合でも、挿通部材１１６を介して３つの部材を接着固定することができ、小型のレンズ鏡筒を提供することが可能である。
【００３９】
本実施形態において、第１接着部１１７および第２接着部１１８は紫外線硬化型接着剤を含むが、これに限定されるものではない。第１接着部１１７および第２接着部１１８のうち一方が紫外線硬化型接着剤を含み、他方が他の種類の接着剤を含んでいてもよい。また、第１接着部１１７および第２接着部１１８の両方が他の種類の接着剤を含んでいてもよい。
【００４０】
本実施形態において、第２レンズ保持枠１１２および第３レンズ保持枠１１３は、第１調整部材１１９および第２調整部材１２０によりそれぞれ保持され、その保持がそれぞれの接着部（接着剤）により強固になることを説明したが、これに限定されるものではない。例えば、第１調整部材１１９および第２調整部材１２０の少なくとも一方がなくてもよく、工具で光学調整した状態のまま、第１接着部１１７および第２接着部１１８で接着してもよい。このような構成でも、３つの部材を接着固定しつつ小型化を図ることが可能である。
【００４１】
本実施形態において、挿通部材１１６と第１調整部材１１９および第２調整部材１２０をそれぞれ近傍に配置している。これは、接着箇所と各調整部材とを近くに配置する方が、外力や衝撃を受けた際の調整部材に働く負荷を減らすことができるためである。すなわち、調整部材と接着箇所が離れていると、レンズ保持枠に作用する外力が接着箇所で受けるまでに調整部材に作用し、調整部材が回転してしまう可能性があるためである。接着箇所と調整部材を近傍に配置することにより、調整部材の不要な回転を防ぐことができる。
【００４２】
本実施形態において、挿通部材１１６、第１調整部材１１９、第２調整部材１２０の順で周方向に配置しているが、これに限定されるものではない。第１調整部材１１９、挿通部材１１６、第２調整部材１２０の順で周方向に配置してもよい。
【００４３】
また、前述のように、第２レンズ保持枠１１２は倒し調整、第３レンズ保持枠１１３は平行偏芯調整を行うため、保持鏡筒１１５との径方向のクリアランスは第３レンズ保持枠１１３の方が広い。保持鏡筒１１５と第３レンズ保持枠１１３との間のスペースに第２接着部１１８が流れ込むことを抑制するため、本実施形態では、第３レンズ保持枠１１３の接着部（孔部）１１３ｃを外側に開いた（光学系の光軸から離れる方向に広がる）テーパー形状としている。テーパー形状とすることにより、テーパー部よりも内側に流れ込む際の抵抗になること、テーパー部に向けて接着部を塗布することで接着部を押し出す力が直接内側へ行きにくくすることにより、意図しない箇所への接着部の流れ込みを効果的に抑制できる。本実施形態においては、接着部１１３ｃはテーパー形状であるが、これに限定されるものではない。例えば、接着部が意図しない箇所に行きにくくするために段差を形成してもよい。または、流れ込みを防止すべき箇所に、にじみ防止剤等の撥水剤を塗布してもよい。
【００４４】
前述のように本実施形態では、第２レンズ保持枠１１２、保持鏡筒１１５、および、第３レンズ保持枠１１３の順に、内側から外側に配置されている。また、第２レンズ保持枠１１２に挿通部材１１６が取り付けられ、挿通部材１１６が保持鏡筒１１５および第３レンズ保持枠１１３のそれぞれを挿通する。ただし、本実施形態はこれに限定されるものではない。例えば、保持鏡筒１１５、第２レンズ保持枠１１２、および、第３レンズ保持枠１１３の順に内側から外側に配置し、保持鏡筒１１５に挿通部材１１６を取り付け、第２レンズ保持枠１１２および第３レンズ保持枠１１３のそれぞれを挿通するように構成してもよい。
【００４５】
本実施形態において、第１調整部材１１９は、第２レンズ保持枠１１２に、第２調整部材１２０は保持鏡筒１１５にそれぞれ取り付けられているが、これに限定されるものではない。例えば、第１調整部材１１９が保持鏡筒１１５に取り付けられていてもよく、第２調整部材１２０が第３レンズ保持枠１１３に取り付けられていてもよい。
【００４６】
（第２実施形態）
次に、図５および図６を参照して、本発明の第２実施形態について説明する。図５は、本実施形態における撮像装置２００の断面図である。図６は、本実施形態におけるレンズ鏡筒２ａの拡大断面図である。
【００４７】
本実施形態は、挿通部材２１６の挿通方向（突出方向）が光軸方向である点で、挿通部材１１６の挿通方向が光学系の光軸ＯＡと直交する径方向である第１実施形態とは異なる。また本実施形態において、挿通部材２１６は第２レンズ保持枠２１２と一体的に形成されている点で、挿通部材１１６が第２レンズ保持枠１１２とは別体として形成されている第１実施形態とは異なる。本実施形態において、挿通部材２１６は、保持鏡筒２１５および第３レンズ保持枠２１３のそれぞれを光軸方向から挿通する。第２レンズ保持枠２１２と保持鏡筒２１５は、第１接着部２１７により接着固定され、第２レンズ保持枠２１２と第３レンズ保持枠２１３は第２接着部２１８により接着固定される。なお、本実施形態のその他の構成は、第１実施形態と同じであるため、その説明を省略する。
【００４８】
本実施形態において、第２レンズ保持枠２１２および第３レンズ保持枠２１３のそれぞれが保持鏡筒２１５に対して光軸方向から組み込まれるため、挿通部材２１６は第２レンズ保持枠２１２と一体的に形成することができる。本実施形態において、光学調整が行われるまでの方法は、第１実施形態と同じである。光学調整後に接着を行う場合、第１実施形態では、径方向から固定筒２５、第１カム筒２１、案内筒２０、直進筒２２、第２カム筒２３に設けられた挿入穴を通して接着が行われるが、本実施形態では光軸方向から接着が行われる。また、第１実施形態と同様に、第１接着部２１７の硬化後に、第２接着部２１８の塗布および紫外線照射を行って、第２接着部２１８を硬化させることが好ましい。
【００４９】
このように、第２レンズ保持枠２１２と一体的に構成された挿通部材２１６が、保持鏡筒２１５および第３レンズ保持枠２１３をそれぞれ挿通し、第１接着部２１７および第２接着部２１８を用いてそれぞれの挿通箇所を接着固定する。これにより、３つの部材の固定を挿通部材２１６の１つ（一箇所）のみで行うことが可能となる。このため、小型のレンズ鏡筒を提供することができる。なお本実施形態において、挿通部材２１６は、第２レンズ保持枠２１２と一体的に形成されるが、これに限定されるものではなく挿通部材２１６は第２レンズ保持枠２１２とは別体であってもよい。
【００５０】
各実施形態において、挿通方向を径方向または光軸方向としているが、これに限定されるものではなく、光軸ＯＡに対して傾斜した所定の角度を有する挿通方向（光軸方向および径方向のそれぞれとは異なる方向）であってもよい。また各実施形態において、１つの挿通部材を介して３つの部材を接着する構成について説明したが、これに限定されるものではなく、４つ以上の部材を接着する構成であってもよい。
【００５１】
各実施形態によれば、光学系を保持する複数のレンズ保持枠を接着固定するレンズ鏡筒において、省スペースで固定部に接着固定することが可能なレンズ鏡筒を提供することができる。このため各実施形態によれば、小型のレンズ鏡筒、撮像装置、および、レンズ鏡筒の製造方法を提供することが可能である。
【００５２】
以上、本発明の好ましい実施形態について説明したが、本発明はこれらの実施形態に限定されず、その要旨の範囲内で種々の変形及び変更が可能である。
【００５３】
なお、本発明の実施形態におけるレンズユニットとは、複数のレンズの集合も１枚のレンズも意味する言葉である。
【符号の説明】
【００５４】
２、２ａ  レンズ鏡筒
１１２  第２レンズ保持枠（第１鏡筒）
１１３  第３レンズ保持枠（第２鏡筒）
１１５  保持鏡筒（第３鏡筒）
１１６  挿通部材（固定部材）
１１７  第１接着部
１１８  第２接着部
１０２  レンズユニット（第１レンズユニット）
１０３  レンズユニット（第２レンズユニット）
【図１】
2019039998.tif 000003
【図２】
2019039998.tif 000004
【図３】
2019039998.tif 000005
【図４】
2019039998.tif 000006
【図５】
2019039998.tif 000007
【図６】
2019039998.tif 000008